(57)【要約】【課題】人が通れないような狭隘部、配管内を移動可能なほど小型で、かつ不整地、階段等を自由に移動する移動ロボットを提供する。【解決手段】本体１２、左右の走行車輪２０、および伸縮アーム３２を有する伸縮アーム装置３０を備える。走行車輪２０は、走行用モータ１４により回転駆動されるウォームギヤ２２と、ハウジング２４と、弾性を有する薄肉のリング状部材である複数のウォームホイールリング２６と、ハウジングとウォームギヤ又は本体を排他的に連結するクラッチ２８とを備える。クラッチ２８でハウジングとウォームギヤを連結して、走行車輪全体を回転駆動し回転軸に交差する方向に移動し、クラッチ２８を切替えてハウジングと本体を連結し、ウォームホイールリングの半径方向内側部分を軸線方向に駆動して、回転軸の軸線方向に移動する。【選択図】図３
2008012607.tif 000002
【特許請求の範囲】
【請求項１】
本体と、該本体の両側に設けられ同一線上の回転軸を中心に回転駆動される左右の走行車輪と、前記本体内に内蔵され前記回転軸に直交して伸縮可能な伸縮アームを有する伸縮アーム装置とを備え、伸縮アームが走行面と接触して本体の回転を防止しながら走行車輪で走行することを特徴とする小型移動ロボット。
【請求項２】
前記走行車輪は、本体に内蔵された走行用モータにより前記回転軸を中心に回転駆動されるウォームギヤと、該ウォームギヤを回転可能に支持するハウジングと、弾性を有する薄肉のリング状部材であって半径方向内側部分が前記ウォームギヤと歯合し半径方向外側部分が本体より外側まで放射状に延びる複数のウォームホイールリングと、ハウジングとウォームギヤ又は本体を排他的に連結するクラッチとを備え、
ハウジングとウォームギヤを連結して、走行車輪全体を回転駆動し回転軸に交差する方向に移動し、
ハウジングと本体を連結して、ウォームホイールリングの半径方向内側部分を軸線方向に駆動して、回転軸の軸線方向に移動する、ことを特徴とする請求項１に記載の小型移動ロボット。
【請求項３】
前記走行車輪は、複数のウォームホイールリングの周方向間に設けられた複数の分割車輪を有し、各分割車輪の内方部分はハウジングに固定され、その外周面はウォームホイールリングの外側部分より内方に位置する、ことを特徴とする請求項２に記載の小型移動ロボット。
【請求項４】
前記伸縮アーム装置は、伸縮アームの末端部を巻取り／巻戻しする電動巻取りドラムと、伸縮アームの先端部に取り付けられたカメラとを備える、ことを特徴とする請求項１に記載の小型移動ロボット。
【請求項５】
前記カメラ近傍の伸縮アームの外面に、外部のエッジ部に引っかかる突起を有する、ことを特徴とする請求項４に記載の小型移動ロボット。
【請求項６】
前記伸縮アームは、幅両端が接合された２枚の弾性ベルトからなり、各弾性ベルトは、平板状につぶれて電動巻取りドラムに巻き取られ、巻戻し時には、弾性で直線状に伸びかつ外側に凸の曲げ剛性の高い断面形状となる、ことを特徴とする請求項４に記載の小型移動ロボット。
【請求項７】
前記本体は、さらに、バッテリと、走行用モータ及び電動巻取りドラムを制御し、外部と双方向通信をする制御基板とを内蔵する、ことを特徴とする請求項１に記載の小型移動ロボット。
【発明の詳細な説明】
【技術分野】
【０００１】
本発明は、配管内、不整地、階段等を移動でき、警備及び災害救助等に役立てることができる小型移動ロボットに関する。
【背景技術】
【０００２】
災害救助等に役立てることができる小型移動ロボットとして、配管内を移動できる管内移動装置や、不整地を移動できる警備及び災害救助用ロボットなど、種々の形式の移動ロボットが既に提案されている（例えば特許文献１，２）。
【０００３】
特許文献１の「管内移動装置」は、口径の異なる配管に対応して配管内を円滑に移動できることを目的とし、図１０に示すように、モータ５８の駆動軸５７を前後に突出させてウォームギヤ５０をそれぞれ設け、このウォームギヤ５０に、弾性を有する薄肉のウォームホイールリング５６を、定位置で回転するように噛合させて、少なくとも２輪駆動構造の移動機構体５２を構成したものである。
移動機構体５２は、給電ケーブルに所要の配列ピッチで組み付け、その前後端に、端子５５が引かれるとＯＮになるスイッチ５７ａ，５７ｂを取り付け、相前後する移動機構体５２の対向するスイッチ５７ａ，５７ｂの端子５５間にワイヤ５３を接続し、最先端の移動機構体５２の前部にセンサを取り付け、細径配管内に挿入してモータ５８を駆動するようになっている。
【０００４】
特許文献２の「警備及び災害救助用ロボット」は、防犯と災害救助とを目的とし、図１１に示すように、不整地走行可能な車体６７と、該車体上に配置した発電装置と、該車体上に配置したセンサ６２、監視カメラ６１、無線装置６６、犯人識別弾発射装置６３及び／または粘着ネット発射装置６８とを備え、発電装置を電源としてセンサによって検知した物体を監視カメラで認識し、その物体が犯人であるときには、犯人識別弾発射装置から犯人識別弾及び／または粘着ネット発射装置から粘着ネットを発射するとともに、警報を発するものである。
【０００５】
【特許文献１】特開平８−３２７６０５号公報、「管内移動装置」
【特許文献２】特開２００５−２８２４５５号公報、「発電装置とその発電装置を使用した警備及び／または災害救助用ロボット」
【発明の開示】
【発明が解決しようとする課題】
【０００６】
上述した特許文献１の移動ロボットは、配管内は移動できるが、不整地や階段等を移動できない問題点があった。また、特許文献２の移動ロボットは、不整地走行はできるが、配管内の移動はできない問題点があった。
また、その他にも種々の形式の移動ロボットが提案されてはいるが、配管内、不整地、階段等を自由に移動でき、人が近寄れないような災害現場を遠隔操作で看視して災害救助等に役立てることができる小型移動ロボットは従来なかった。
さらに、実際の災害救助等では、災害現場まで人力で運搬可能であり人が近寄れないような災害現場では人力で投げ込むことができるほど小型軽量であり、かつ投げ込みや落下等の衝撃に耐えるほど耐衝撃性能が高い小型移動ロボットが要望されていた。
同様に、警備及び監視用ロボットにおいても従来のロボットは、大型なため侵入者に容易に気付かれ逃亡を許す可能性が高かった。また、小型のものは、平坦地のみしか移動できず、移動性能が低かった。
【０００７】
本発明は、上述した要望を満たすために創案されたものである。すなわち本発明の目的は、配管内、不整地、階段等を自由に移動でき、人が近寄れないような災害現場を遠隔操作で看視して災害救助等に役立てることができる小型移動ロボットを提供することにある。
また、本発明の別の目的は、災害現場では人力で投げ込むことができるほど小型軽量であり、かつ投げ込みや落下等の衝撃に耐えるほど耐衝撃性能が高い小型移動ロボットを提供することにある。
さらに、警備現場では、容易に侵入者に気付かれず、遠隔操縦による監視が可能な小型移動ロボットを提供することにある。
【課題を解決するための手段】
【０００８】
本発明によれば、本体と、該本体の両側に設けられ同一線上の回転軸を中心に回転駆動される左右の走行車輪と、前記本体内に内蔵され前記回転軸に直交して伸縮可能な伸縮アームを有する伸縮アーム装置とを備え、伸縮アームが走行面と接触して本体の回転を防止しながら走行車輪で走行することを特徴とする小型移動ロボットが提供される。
【０００９】
本発明の好ましい実施形態によれば、前記走行車輪は、本体に内蔵された走行用モータにより前記回転軸を中心に回転駆動されるウォームギヤと、該ウォームギヤを回転可能に支持するハウジングと、弾性を有する薄肉のリング状部材であって半径方向内側部分が前記ウォームギヤと歯合し半径方向外側部分が本体より外側まで放射状に延びる複数のウォームホイールリングと、ハウジングとウォームギヤ又は本体を排他的に連結するクラッチとを備え、
ハウジングとウォームギヤを連結して、走行車輪全体を回転駆動し回転軸に交差する方向に移動し、
ハウジングと本体を連結して、ウォームホイールリングの半径方向内側部分を軸線方向に駆動して、回転軸の軸線方向に移動する。
【００１０】
また、前記走行車輪は、複数のウォームホイールリングの周方向間に設けられた複数の分割車輪を有し、各分割車輪の内方部分はハウジングに固定され、その外周面はウォームホイールリングの外側部分より内方に位置する。
【００１１】
また、前記伸縮アーム装置は、伸縮アームの末端部を巻取り／巻戻しする電動巻取りドラムと、伸縮アームの先端部に取り付けられたカメラとを備える。
【００１２】
また、前記カメラ近傍の伸縮アームの外面に、外部のエッジ部に引っかかる突起を有する。
【００１３】
また、前記伸縮アームは、幅両端が接合された２枚の弾性ベルトからなり、各弾性ベルトは、平板状につぶれて電動巻取りドラムに巻き取られ、巻戻し時には、弾性で直線状に伸びかつ外側に凸の曲げ剛性の高い断面形状となる。
【００１４】
また、前記本体は、さらに、バッテリと、走行用モータ及び電動巻取りドラムを制御し、外部と双方向通信をする制御基板とを内蔵する。
【発明の効果】
【００１５】
上記本発明の小型移動ロボットは、本体、左右の走行車輪及び伸縮アーム装置の３つの構成部材からなり、糸車のように、伸縮アームが走行面と接触して本体の回転を防止しながら走行車輪で走行するので、基本的な構成部材が少なく、小型化が可能である。
【００１６】
また、前記走行車輪が、ウォームギヤ、ハウジング、複数のウォームホイールリング、及びクラッチを備え、ハウジングとウォームギヤを連結して、走行車輪全体を回転駆動し回転軸に交差する方向に移動し、ハウジングと本体を連結して、ウォームホイールリングの半径方向内側部分を軸線方向に駆動して、回転軸の軸線方向に移動する構成により、クラッチ切替だけで、糸車のように回転軸に交差する方向に移動することも、回転軸の軸線方向に移動することもできる。
また、ウォームホイールリングは、弾性を有する薄肉のリング状部材であるため、半径方向にはたわんでサスペンション機能を有し、かつ回転方向には剛性が高く、不整地や段差、階段等のエッジに引っかかりやすく、乗り越え性能が高い。
また、ウォームホイールリングがたわむことにより、配管内等の細長い空間内を移動することが可能である。さらに、配管内の狭隘な空間に弾性リングを押し付けることにより摩擦力を発生し、鉛直方向に移動することも可能になる。
従ってこの構成により、配管内、不整地、階段等を自由に移動でき、かつ投げ込みや落下等の衝撃に耐える耐衝撃性能を備えることができる。
【００１７】
また、伸縮アーム装置が、伸縮アームの末端部を巻取り／巻戻しする電動巻取りドラムと、伸縮アームの先端部に取り付けられたカメラとを備えることにより、さらに伸縮アームを伸ばすことにより先端のカメラで障害物を越えた箇所の画像を見ることができる。
【００１８】
また、伸縮アームが、幅両端が接合された２枚の弾性ベルトからなり、各弾性ベルトは、電動巻取りドラムに平板状につぶれて巻き取られ、巻戻し時には、弾性で直線状に伸びかつ外側に凸の曲げ剛性の高い断面形状となる構成により、巻き付け時は、屈曲性が高いが、伸展時は、断面が円弧に曲がり剛性が高くなる構造をもつ。
従って、伸縮可能な伸縮アームを有する伸縮アーム装置を小型軽量にできる。
【発明を実施するための最良の形態】
【００１９】
以下、本発明の好ましい実施形態を説明する。
【００２０】
図１は、本発明の小型移動ロボットの全体構成図であり、（Ａ）は正面図、（Ｂ）はＡ−Ａ矢視図である。
この図に示すように、本発明の小型移動ロボット１０は、本体１２、左右の走行車輪２０、および伸縮アーム装置３０を備える。
左右の走行車輪２０は、本体１２の両側に設けられ、同一線上の回転軸Ｚ−Ｚを中心に回転駆動される。
伸縮アーム装置３０は、本体１２内に内蔵され、回転軸Ｚ−Ｚに直交して伸縮可能な伸縮アーム３２を有する。
【００２１】
図２は、本発明の装置の面上移動形態を示す図である。
上述した構成により、この図に示すように、伸縮アーム３２を伸ばした状態で、左右の走行車輪２０を同じ方向に回転させることにより、回転軸Ｚ−Ｚに交差する方向に移動することができる。
この面上移動形態において、走行車輪２０の回転の反作用により本体１２は反対方向に回転力を受ける。伸縮アーム３２は、走行面１と接触してこの反作用による本体１２の回転を防止する機能を有する。従って、本発明の小型移動ロボット１０は走行車輪全体を回転駆動して回転軸Ｚ−Ｚに交差する方向に移動することができる。
【００２２】
図３は、図１の小型移動ロボットの断面構成図であり、図４は、図３のＡ−Ａ断面図である。
図３および図４において、走行車輪２０は、ウォームギヤ２２、ハウジング２４、複数のウォームホイールリング２６、およびクラッチ２８を備える。
【００２３】
ウォームギヤ２２は、本体１２に内蔵された走行用モータ１４により回転軸Ｚ−Ｚを中心に回転駆動される。
ハウジング２４は、本体１２の軸方向両端部に位置し、ウォームギヤ２２を回転可能に支持する。
【００２４】
複数（この例では４つ）のウォームホイールリング２６は、弾性を有する薄肉のリング状部材である。このウォームホイールリング２６の半径方向内側部分はウォームギヤ２２と歯合し、半径方向外側部分は本体１２より外側まで放射状に延びる。またウォームホイールリング２６は、弾性リング状部材にスリットが入った薄い金属又は樹脂であり、外力により自由に変形する。
なお、ウォームホイールリング２６はこの図では楕円形であるが、外力を受けない状態では弾性によりほぼ円形に復帰するのがよい。
また、ウォームホイールリング２６の半径方向内側部分をウォームギヤ２２に向けて弾性的に押し付ける付勢装置２７を備える。
【００２５】
クラッチ２８は、ハウジング２４とウォームギヤ２２を連結／開放する第１クラッチ２８ａと、ハウジング２４と本体１２を連結／開放する第２クラッチ２８ｂとからなる。第１クラッチ２８ａと第２クラッチ２８ｂは、いずれか一方のみを排他的に連結するようになっている。
【００２６】
また、走行車輪２０は、複数のウォームホイールリング２６の周方向間に設けられた複数の分割車輪２９を有する。各分割車輪２９の内方部分は、ハウジング２２に固定され、その外周面はウォームホイールリング２６の外側部分より内方に位置する。
分割車輪２９は、ウォームホイールリング２６が大きくたわむ場合に、走行面または管内面と接触してハウジング２２を支持し走行車輪全体の回転を円滑にする機能を有する。
【００２７】
上述した構成により、第１クラッチ２８ａによりハウジング２４とウォームギヤ２２を連結し、第２クラッチ２８ｂによりハウジング２４と本体１２を開放することにより、走行用モータ１４により走行車輪全体を回転駆動し、図２に示したように回転軸Ｚ−Ｚに交差する方向に移動することができる。
【００２８】
図５は、本発明の装置の配管内移動形態を示す図である。
上述した構成において、第１クラッチ２８ａによりハウジング２４とウォームギヤ２２を開放し、第２クラッチ２８ｂによりハウジング２４と本体１２を連結することにより、走行用モータ１４によりウォームギヤ２２とウォームホイールリング２６の螺合を介して、ウォームホイールリング２６の半径方向内側部分を軸線方向に駆動して、回転軸Ｚ−Ｚの軸線方向に移動することができる。
なお、配管内移動時には、伸縮アーム３２を配管２に干渉しないように短く縮めておる。
【００２９】
図６は、図３のＢ−Ｂ断面図（Ａ）とその部分断面図である。
図３および図６に示すように、伸縮アーム装置３０は、電動巻取りドラム３４とカメラ３６を備える。
電動巻取りドラム３４は、電動機を内蔵し、伸縮アーム３２の末端部を巻取り／巻戻しする。カメラ３６は、監視用のＣＣＤカメラであり、伸縮アーム３２の先端部に取り付けられている。カメラ３６は、視角の広い高解像度カメラであり、固定焦点又は自動焦点であるのがよい。
【００３０】
図６（Ｂ）（Ｃ）に示すように、伸縮アーム３２は、幅両端が接合された２枚の弾性ベルト３２ａからなる。各弾性ベルト３２ａは、図６（Ｃ）に示すように電動巻取りドラム３４に平板状につぶれて巻き取られる。また、図６（Ｂ）に示すように
巻戻し時には、弾性で直線状に伸びかつ外側に凸の曲げ剛性の高い断面形状となる。
すなわち、伸縮アーム３２は、コンベックス（巻取り式メジャー）の金属バネを２つ合わせた構造をもち、巻き付け時は、屈曲性が高いが、伸展時は、断面が円弧に曲がり、剛性が高くなる構造をもつ。
従って、２枚の弾性ベルト３２ａを合わせていることから伸展時はどちら側からの曲げモーメントに対しても強い構造をもつ。
【００３１】
図６（Ａ）に示すように、伸縮アーム３２はさらに、カメラ近傍の外面に、外部のエッジ部に引っかかる突起３７を有する。
【００３２】
図７は、本発明の装置の階段移動形態を示す図である。
図２に示したように、伸縮アーム３２を床１に押し付け、左右の走行車輪２０を回転することにより推進力を発生し、階段３の手前まで移動する。このとき、上述したように第１クラッチ２８ａは接続し、第２クラッチ２８ｂを開放する。
図７において、階段手前で左右の走行車輪２０を前進から後進方向に回転させると、反動で伸縮アーム３２が階段側に起き上がる。先端のカメラ３６の画像を見ながら、伸縮アーム３２を伸展し、階段上面の高さまできたら、伸縮アーム３２を階段エッジに接触させ、巻き取ると、エッジにアーム表面の突起３７が引っかかり、さらに巻き取ると車体（小型移動ロボット）を階段上部まで吊り上げることができる。
これを繰り返して階段を登る。また、第１クラッチ２８ａを開放し、第２クラッチ２８ｂを接続すると、弾性リング（ウォームホイールリング２６）がウォームギヤ２２によりロボット長手方向に回転し、ロボット全体も移動する。
【００３３】
図８は、本発明の装置による障害物を越えた箇所の画像を監視する形態を示す図である。
この図に示すように障害物４がある場合でも、伸縮アーム３２を伸ばすことにより先端のカメラ３６で障害物４を越えた箇所の画像を見ることができる。
【００３４】
図９は、災害現場における本発明の装置の使用形態を示す図であり、（Ａ）は災害現場に配管内を通して搬入する形態、（Ｂ）は人力で投げ込んで搬入する形態を示している。
この図に示すように、災害現場で、救助隊員が近寄れないような現場で、短いパイプ５内に納めた本発明のロボット１０をパイプごと投げ込み、或いは、通気孔６を通してロボット１０を現場に進入させることにより、被災者の有無や状況を確認することができる。
図９（Ａ）において配管内の狭隘な空間に弾性リング（ウォームホイールリング２６）を押し付けることにより摩擦力を発生し、鉛直方向に移動することが可能になる。
【００３５】
図３において、本体１２は、さらに、バッテリ１６と制御基板１８を内蔵する。
バッテリ１６は各機器に必要な電力を供給する。
制御基板１８は、走行用モータ１４及び電動巻取りドラム３４を制御し、外部と双方向通信をする。
この構成により、本発明のロボット１０を遠隔制御することができる。
【００３６】
上述したように、本発明の小型移動ロボットは、以下の構成を有する。
（１）  走行車輪２０がウォームギヤ３２により回転する弾性リング（ウォームホイールリング２６）を有する。また、先端に小型カメラ３６を有し、自由に伸縮する伸縮アーム３２を備える。
（２）  弾性リングとクラッチ２８により平坦地では、糸車方式で移動が可能である。弾性リングは重量方向にはたわんでサスペンション機能をもつが、回転方向には剛性が高く、階段のエッジに引っかかりやすく、乗り越え性能が高い。
また、クラッチの切替により弾性リングをリング円周方向に回転することにより、狭隘で垂直な配管内を移動することが可能。
さらに伸縮アームを階段や段差のエッジに引っ掛けることにより本体を吊り上げ、段差を登る。また、アーム先端のカメラ画像を見ること、容易に操縦可能となっている。
【００３７】
この構成により、弾性リングをウォームギヤにより駆動することにより、配管内等の細長い空間内を移動することが可能である。またウォームギヤと弾性リングをクラッチで固定することにより、従来の糸車式ロボットのように平坦地を移動することが可能となる。弾性リングはサスペンション機能を併せもち、落下に対する耐衝撃性をもつ。
【００３８】
なお、本発明は上述した実施の形態に限定されず、本発明の要旨を逸脱しない範囲で種々変更できることは勿論である。
【図面の簡単な説明】
【００３９】
【図１】本発明の小型移動ロボットの全体構成図である。
【図２】本発明の装置の面上移動形態を示す図である。
【図３】図１の小型移動ロボットの断面構成図である。
【図４】図３のＡ−Ａ断面図である。
【図５】本発明の装置の配管内移動形態を示す図である。
【図６】図３のＢ−Ｂ断面図とその部分断面図である。
【図７】本発明の装置の階段移動形態を示す図である。
【図８】本発明の装置による障害物を越えた箇所の画像を監視する形態を示す図である。
【図９】本発明の装置の使用形態を示す図である。
【図１０】特許文献１の「管内移動装置」の模式図である。
【図１１】特許文献２の「警備及び災害救助用ロボット」の模式図である。
【符号の説明】
【００４０】
１  走行面、２  配管、３  階段、４  障害物、５  パイプ、６通気孔、
１０  小型移動ロボット、１２  本体、１４  走行用モータ、
１６  バッテリ、１８制御基板、
２０  走行車輪、２２  ウォームギヤ、２４  ハウジング、
２６  ウォームホイールリング、２８  クラッチ、
２８ａ  第１クラッチ、２８ｂ  第２クラッチ、
３０  伸縮アーム装置、３２  伸縮アーム、３２ａ  弾性ベルト、
３４  電動巻取りドラム、３６  カメラ、３７  突起
【図１】
2008012607.tif 000003
【図２】
2008012607.tif 000004
【図３】
2008012607.tif 000005
【図４】
2008012607.tif 000006
【図５】
2008012607.tif 000007
【図６】
2008012607.tif 000008
【図７】
2008012607.tif 000009
【図８】
2008012607.tif 000010
【図９】
2008012607.tif 000011
【図１０】
2008012607.tif 000012
【図１１】
2008012607.tif 000013